(57)【特許請求の範囲】
【請求項１】
光軸に沿って物体側より順に、正の屈折力の第１レンズ群、負の屈折力の第２レンズ群、負の屈折力の第３レンズ群、正の屈折力の第４レンズ群、正の屈折力の第５レンズ群を配し、第３レンズ群と第４レンズ群との間に絞りを配してなり、
広角端から望遠端への変倍に際し、第１レンズ群と第２レンズ群の間隔が増大し、第２レンズ群と第３レンズ群との間隔が増大し、第３レンズ群と第４レンズ群との間隔が減少し、第４レンズ群と第５レンズ群の間隔が減少するように、全レンズ群が移動し、
第３レンズ群が１枚の負レンズで構成され、該負レンズは、物体側に凹面を向けた負メニスカスレンズであり、
第３レンズ群の光軸方向への移動によりフォーカシングを行い、
広角端において、物体距離が無限遠のときの、第４レンズ群と第５レンズ群の合成横倍率：β４５Ｗ、望遠端において、物体距離が無限遠のときの、第４レンズ群と第５レンズ群の合成横倍率：β４５Ｔが、条件：
（１）  ２．０  ＜β４５Ｔ／β４５Ｗ＜  ２．５  
（２Ａ）  −０．９５  ＜β４５Ｗ＜  −０．８５ 
（３）  −２．４  ＜β４５Ｔ＜  −１．８
を満足することを特徴とするズームレンズ。
【請求項２】
請求項１記載のズームレンズにおいて、
第４レンズ群の焦点距離：Ｆ４、第５レンズ群の焦点距離：Ｆ５、広角端での焦点距離：Ｆｗと望遠端での焦点距離：Ｆｔの幾何平均：Ｆｍ（＝√（Ｆｗ×Ｆｔ））が、条件：
（４）  １．０  ＜  Ｆ４／Ｆｍ  ＜  １．５  
（５）  １．１  ＜  Ｆ５／Ｆｍ  ＜  １．８  
を、満足することを特徴とするズームレンズ。  
【請求項３】
請求項１または２記載のズームレンズにおいて、
広角端において、物体距離が無限遠のとき第３レンズ群の横倍率：β３Ｗ、望遠端において、物体距離が無限遠のときの第３レンズ群の横倍率：β３Ｔが、条件：  
（６）  ０．７  ＜β３Ｔ／β３Ｗ＜  ０．９８
を満足することを特徴とするズームレンズ。  
【請求項４】
請求項１〜３の任意の１に記載のズームレンズにおいて、  
第３レンズ群を構成する、物体側に凹面を向けた負メニスカスレンズの材質のアッベ数：ｖｄが、条件：
（７）  ｖｄ  ＞  ５０
を満足することを特徴とするズームレンズ。
【請求項５】
請求項１〜４の任意の１に記載のズームレンズにおいて、
最大像高：Ｙ’、広角端での焦点距離：Ｆｗ、望遠端での焦点距離：Ｆｔ、広角端での焦点距離：Ｆｗが、条件：
（８）  ０．７５＜Ｙ’／Ｆｗ  
（９）    ２．８＜Ｆｔ／Ｆｗ  
を満足することを特徴とするズームレンズ。
【請求項６】
請求項１〜５の任意の１に記載のズームレンズを、撮影用光学系として有することを特徴とする撮影機能を有する情報装置。
【請求項７】
請求項６記載の情報装置において、  
ズームレンズによる物体像が、撮像素子の受光面上に結像されることを特徴とする撮影機能を有する情報装置。  
【請求項８】
請求項７記載の情報装置において、
携帯情報端末装置として構成されたことを特徴とする撮影機能を有する情報装置。
【発明の詳細な説明】
【技術分野】
【０００１】
この発明はズームレンズおよび情報装置に関する。  
この発明のズームレンズは、デジタルスチルカメラ、銀塩写真カメラ、ビデオカメラ、デジタルビデオカメラ等の撮像装置における撮像用のズームレンズとして実施できる。また、情報装置は、デジタルスチルカメラや、携帯情報端末装置等として実施できる。
【背景技術】
【０００２】
近来、デジタルスチルカメラ等に用いられる撮影光学系は、ズームレンズが一般的となっている。特に「３５ｍｍ判換算で５０ｍｍ程度の画角を焦点距離範囲に含むズームレンズ」が一般的に知られている。  
これらズームレンズにおいては、小型化や広角化、オートフォーカス（以下「ＡＦ」と称する。）の高速化等に対するユーザの要望が強い。
【０００３】
物体側から像側へ向かって順に、正の屈折力を有する第１レンズ群、負の屈折力を有する第２レンズ群と、それに続く後続群を有する、所謂「ポジティブリードタイプ」のズームレンズは、変倍比を拡大しやすく、正群先行の構成による全長の小型化が容易であり、従来から各種のものが知られている（特許文献１〜５）。
【０００４】
特許文献１〜５に記載のズームレンズは何れも、所謂「インナーフォーカス方式」のものであり、特許文献１記載のものは第２レンズ群の移動によりフォーカシングを行なっており、特許文献２〜５記載のものは何れも第３レンズ群の移動によりフォーカシングを行なっている。
【０００５】
特許文献１記載の「第２レンズ群の移動によりフォーカシングを行なうズームレンズ」の場合、フォーカシングに際して、移動させる第２レンズ群の重量が大きいため、モータやアクチュエータが大きくなりやすく、鏡筒の最大径が大きくなりやすい。  
第２レンズ群の重量が大きいことから、ＡＦの高速化や「動画撮影中の静穏化」等の面でも問題なしとしない。
【０００６】
特許文献２〜５に記載されたズームレンズでは、負の屈折力を有する第３レンズ群でフォーカシングを行っている。
【０００７】
しかし、特許文献２〜４記載のズームレンズは、フォーカス群が十分に軽量とは言い難い。  
特許文献５記載のズームレンズは、フォーカシングを行なう第３レンズ群が「１枚の負レンズ」で構成されており、フォーカス群が軽量化されているので、ＡＦの高速化や鏡筒径の小型化等を図ることができる。しかし、性能面やズームレンズのコンパクト化の面で、第３レンズ群の性能について、なお改善の余地があると考えられる。
【発明の概要】
【発明が解決しようとする課題】
【０００８】
この発明は、上述したところに鑑み、インナーフォーカス方式で、フォーカス群の移動量が小さく、小型・高性能で広角端の半画角が４１度以上、変倍比が２．８倍から３．５倍程度、５００万〜１０００万画素を超える撮像素子に対応した解像力を有するズームレンズの実現を可能ならしめることを課題とする。
【０００９】
この発明はまた、上記インナーフォーカス方式で、フォーカス群の移動量が小さく、小型・高性能で広角端の半画角が４１度以上、変倍比が２．８倍から３．５倍程度、５００万〜１０００万画素を超える撮像素子に対応した解像力を有するズームレンズの実現を課題とする。
【００１０】
また、このようなズームレンズを搭載した性能良好で、小型・軽量な情報装置の提供を課題とする。
【課題を解決するための手段】
【００１１】
この発明のズームレンズは「光軸に沿って物体側より順に、正の屈折力の第１レンズ群、負の屈折力の第２レンズ群、負の屈折力の第３レンズ群、正の屈折力の第４レンズ群、正の屈折力の第５レンズ群を配し、第３レンズ群と第４レンズ群との間に絞りを配してなり、広角端から望遠端への変倍に際し、第１レンズ群と第２レンズ群の間隔が増大し、第２レンズ群と第３レンズ群との間隔が増大し、第３レンズ群と第４レンズ群との間隔が減少し、第４レンズ群と第５レンズ群の間隔が減少するように、全レンズ群が移動するズームレンズ」であって、以下の点を特徴とする（請求項１）。
【００１２】
即ち、第３レンズ群が１枚の負レンズで構成され、該負レンズは「物体側に凹面を向けた負メニスカスレンズ」である。
【００１３】
「フォーカシング」は、第３レンズ群の光軸方向への移動により行う。
【００１４】
広角端において、物体距離が無限遠のときの、第４レンズ群と第５レンズ群の合成横倍率：β４５Ｗ、望遠端において、物体距離が無限遠のときの、第４レンズ群と第５レンズ群の合成横倍率：β４５Ｔが、条件：
（１）  ２．０  ＜β４５Ｔ／β４５Ｗ＜  ２．５  
（２Ａ）  −０．９５  ＜β４５Ｗ  ＜  −０．８５
（３）  −２．４  ＜β４５Ｔ＜  −１．８  
を満足する。
【００１５】
請求項１記載のズームレンズは、第４レンズ群の焦点距離：Ｆ４、第５レンズ群の焦点距離：Ｆ５、広角端での焦点距離：Ｆｗと望遠端での焦点距離：Ｆｔの幾何平均：Ｆｍ（＝√（Ｆｗ×Ｆｔ））が、条件：
（４）  １．０  ＜Ｆ４／Ｆｍ＜  １．５  
（５）  １．１  ＜Ｆ５／Ｆｍ＜  １．８  
を、満足することが好ましい（請求項２）。  
請求項１または２記載のズームレンズは、広角端において、物体距離が無限遠のとき第３レンズ群の横倍率：β３Ｗ、望遠端において、物体距離が無限遠のときの第３レンズ群の横倍率：β３Ｔが、条件：  
（６）  ０．７  ＜β３Ｔ／β３Ｗ＜  ０．９８
を満足することが好ましい（請求項３）。  
請求項１〜３の任意の１に記載のズームレンズは、第３レンズ群を構成する、物体側に凹面を向けた負メニスカスレンズの材質のアッベ数：ｖｄが、条件：
（７）  ｖｄ  ＞  ５０
を満足することが好ましい（請求項４）。
【００１６】
請求項１〜４の任意の１に記載のズームレンズは、最大像高：Ｙ’、広角端での焦点距離：Ｆｗ、望遠端での焦点距離：Ｆｔ、広角端での焦点距離：Ｆｗが、条件：
（８）  ０．７５＜Ｙ’／Ｆｗ  
（９）    ２．８＜Ｆｔ／Ｆｗ  
を満足することが好ましい（請求項５）。
【００１７】
この発明の「情報装置」は、請求項１〜５の任意の１に記載のズームレンズを、撮影用光学系として有することを特徴とする（請求項６）。
【００１８】
請求項６記載の情報装置は「ズームレンズによる物体像が、撮像素子の受光面上に結像されるもの」であることができる（請求項７）。この請求項７記載の情報装置は「携帯情報端末装置として構成」されることができる（請求項８）。
【００１９】
この発明のズームレンズでは、変倍に際して、第１〜第５レンズ群が全て移動する。このように、全てのレンズ群が変倍に寄与することで、各レンズ群の変倍への負担を小さくでき、収差補正上、またレンズ加工性においても有利となるだけでなく、変倍に伴う第１レンズ群の移動量を効率よく低減することが可能となり、ズームレンズの小型化も容易となる。
【００２０】
この発明のズームレンズでは、レンズ設計の自由度を増し、より小型化・高性能化を図るため、第４レンズ群、第５レンズ群（以下、これらをまとめて「後続群」と呼ぶ。）の「変倍への寄与」を大きくしている。  
後続群の「変倍への寄与」を大きくする場合、寄与の程度が適切でないと「第２レンズ群や第３レンズ群の変倍への寄与」とのバランスが崩れ、副作用として、ズームレンズの大型化や「製造誤差感度の上昇」、諸収差の補正不足を招来してしまう。  
請求項１の条件（１）は、後続群の「変倍への寄与」の適切な範囲を規定している。
【００２１】
条件（１）のパラメータ：β４５Ｔ／β４５Ｗは、広角端から望遠端までの変倍に際しての「後続群の横倍率の変化の程度」を表し、このパラメータの値が大きくなるほど、後続群の「変倍への寄与」が大きくなり、第２・第３レンズ群の変倍への寄与が減少する。
【００２２】
第２・第３レンズ群の「変倍への寄与」が減少すると、第２レンズ群の変倍に伴う移動量が減少するので、ズームレンズの小型化には有利となる。
【００２３】
しかし、条件（１）の上限値：２．５を超えると、後続群の変倍への寄与が過大となり、第２・第３レンズ群の寄与が過小になり、後続群の「偏心感度の上昇」や、寄与のバランスが崩れることにより「諸収差の補正」が不十分と成りやすい。
【００２４】
条件（１）のパラメータ：β４５Ｔ／β４５Ｗが減少すると、上記とは逆に、後続群の「変倍への寄与」が小さくなり、後続群の偏心感度は低減するが、第２・第３レンズ群の変倍に対する負担は増大する。
【００２５】
条件（１）の下限値：２．０を下回ると、第２レンズ群の「変倍に伴う移動量」が過大となって、ズームレンズの小型化が困難となる。
【００２６】
即ち、後続群の変倍への寄与の最適範囲を規定する条件（１）を満たすことにより、ズームレンズの小型化が可能となる。
【００２７】
この発明のズームレンズでは、負の屈折力を有する第３レンズ群をフォーカス群とすることにより、フォーカス群を軽量化し、移動量を少なくすることを可能とし、ＡＦの高速化、静音化を企図している。
【００２８】
請求項１記載のズームレンズの構成では、フォーカス群の横倍率：βＦと、フォーカス群の像側に配置された後続群（第４・第５レンズ群）の合成横倍率：β４５と、フォーカス敏感度：ＦＳ（フォーカス群の移動量に対するピント移動量の比率）との関係は次式：
ＦＳ＝（１−βＦ２）×（β４５）２ 
で表される。
【００２９】
従って、フォーカス群（第３レンズ群）の後続群である第４・第５レンズ群の合成横倍率：β４５が「絶対値において大きく」なるほど、フォーカス感度：ＦＳが大きくなるので、フォーカス群である第３レンズ群の移動量を小さくしても、所望のフォーカス敏感度を実現できることがわかる。
【００３０】
条件（２Ａ）、（３）のパラメータ：β４５Ｗ、β４５Ｔは何れも、上限側に向かって絶対値が小さくなり、下限側に向かって絶対値が大きくなる。
【００３１】
条件（２Ａ）、（３）の上限値を上回ると、広角端・望遠端のいずれにおいても、フォーカス敏感度：ＦＳが過小になり、フォーカス群（第３レンズ群）の移動量を小さくすることが困難となって、ＡＦの高速化が難しくなるのみならず、特に望遠端においては「ズームレンズの小型化」が困難になる。
【００３２】
逆に、条件（２Ａ）、（３）の下限値を下回ると、広角端・望遠端のいずれにおいても、フォーカス敏感度：ＦＳが過大になる。
【００３３】
フォーカス敏感度が大きくなることは、フォーカス群の移動量が小さくなることを意味するから、広角端におけるＡＦの高速化、望遠端においてはＡＦの高速化やズームレンズの小型化に対しては有利であるが、「過大なフォーカス敏感度」は、製造誤差感度の増大を齎し、特に望遠端においては「フォーカシング精度の低下」をもたらし易い。
【００３４】
上記条件（１）、（２Ａ）、（３）を同時に満たすことにより「変倍に伴う第２レンズ群の移動量と、フォーカシングのための第３レンズ群の移動量」を良好にバランスさせることが可能となり、小型で製造誤差感度が小さく、諸収差をバランスよく補正可能なズームレンズの実現か可能となる。
【００３５】
条件（１）と（３）の各パラメータは、より好ましくは、条件（１）、（３）よりも若干狭い以下の条件：
（１Ａ）    ２．０７  ＜β４５Ｔ／β４５Ｗ  ＜  ２．３５  
（３Ａ）    −２．２  ＜β４５Ｔ  ＜  −１．８５  
を満足するのが良い。
【００３６】
上記の条件とともに、請求項２の条件（４）、（５）を満足することにより、更なる高性能の実現が可能となる。
【００３７】
条件（４）、（５）はそれぞれ、第４レンズ群と第５レンズ群の焦点距離の適切な範囲を規定する条件である。  
条件（４）、（５）どちらにおいても、下限を下回ると、それぞれの群のパワーが大きくなり、小型化には有利となるが、偏心誤差感度の増大や、他の群の「変倍への負担増」を招来し、パワー配分のバランスが崩れることなどにより、諸収差の増大を招きやすい。  
条件（４）、（５）の上限を上回ると、偏心感度等は低下するが、小型化が困難になる。
【００３８】
条件式（１）〜（５）を同時に満たすことにより、即ち、第４・第５レンズ群のパワー配分と、合成横倍率を適切にすることで、小型で、偏心感度も低く、諸収差の増大をより良好に抑えたズームレンズを得ることが可能となる。
【００３９】
条件（４）、（５）のパラメータは、より好ましくは、条件（４）、（５）よりも若干狭い、以下の条件：
（４Ａ）  １．０  ＜Ｆ４／Ｆｍ＜  １．４  
（５Ａ）  １．１  ＜Ｆ５／Ｆｍ＜  １．６    
を満足するのがよい。
【００４０】
上記条件（１）〜（５）と共に、請求項３の条件（６）を満足することにより、ズームレンズの更なる小型化が可能となる。
【００４１】
上記の如く、この発明のズームレンズでは、フォーカシングを行なう第３レンズ群も、変倍に寄与させている。
【００４２】
条件（６）は、第３レンズ群の変倍への寄与の適切な範囲を規定するものである。
【００４３】
パラメータ：β３Ｔ／β３Ｗは、第３レンズ群の「望遠端での横倍率の、広角端での横倍率に対する比」であるから、このパラメータが大きいほど、第３レンズ群の変倍への寄与は大きくなる。
【００４４】
条件（６）の範囲外では、第３レンズ群の変倍への寄与が「過小もしくは過大」となり、第２レンズ群や、第４・第５レンズ群の変倍への寄与とのバランスが崩れ、製造誤差感度の上昇や、ズームレンズの大型化、諸収差の増大を招来し易い。
【００４５】
条件（６）のパラメータ：β３Ｔ／β３Ｗは、より好ましくは、条件（６）よりも若干狭い、以下の条件：
（６Ａ）    ０．７０  ＜β３Ｔ／β３Ｗ＜  ０．９６
を満足するのがよい。
【００４６】
第３レンズ群は「１枚の負レンズ」により構成されるので、この第３レンズ群を、条件（７）を満足する「比較的低分散のガラス材料」で形成することにより、各種色収差の発生を効果的に抑えることができ、他のレンズ群の色収差抑制に対する負担が小さくなり、収差補正上有利となる。
【００４７】
条件（８）は、ズームレンズの画角を規制する条件であり、この条件（８）を満足することにより、後述の実施例に示すように、広角端での半画角が３６．８度以上で高性能かつコンパクトなズームレンズを得ることができる。
【００４８】
また、条件（９）は、ズーム比を規制するものであり、条件（９）を満足するズームレンズは、２．８倍以上の変倍比である。
【００４９】
条件（８）、（９）のパラメータは、より好ましくは、条件（８）、（９）よりも若干狭い条件：
（８Ａ）  ０．８７＜Ｙ’／Ｆｗ    
（９Ａ）  ３  ＜Ｆｔ／Ｆｗ＜  ５  
を満足するのが良い。
【００５０】
絞りの開放径は「変倍に係らず一定とする」のが機構上簡略となってよいが、望遠端の開放径を広角端に比べて変化させることにより、Ｆナンバの変化を小さくすることも出来る。  
像面に到達する光量を減少させる必要があるときは、絞りを小径化しても良いが、「絞り径を大きく変えることなくＮＤフィルタ等の挿入により光量を減少」させるほうが回折現象による解像力の低下を防止できて好ましい。
【００５１】
この発明のズームレンズの群構成について若干付言すると、フォーカス群である第３レンズ群よりも像側のレンズ群を増やし、変倍中移動させることにより、第１〜第３レンズ群の変倍への負担を小さくでき、レンズ設計の自由度も増し、収差補正や加工性の向上に資することができるが、第３レンズ群よりも像側のレンズ群数を増やすことは、ズームレンズの長大化・大型化につながる。
【００５２】
逆に、第３レンズ群よりも像側のレンズ群を第４レンズ群のみとすると、ズームレンズの小型化には有利となっても、設計の自由度は減少し、収差補正の困難性が増大する。
【００５３】
この発明のズームレンズの「５レンズ群構成」は、ズームレンズの小型化と性能を両立させる上で適正なレンズ群数であるといえる。
【００５４】
請求項７、８記載の情報装置では「ズームレンズによる物体像が、撮像素子の受光面上に結像」される。撮像素子（ＣＣＤエリアセンサやＣＭＯＳ）等により、物体像を読取り、画像データとする場合、画像データは電子情報であり、これを電子的に画像処理することが可能である。
【００５５】
特に、歪曲収差は、電子的に補正可能であり、撮像素子上に結像された画像の歪曲収差を「電子的な処理」により補正する方法が既に知られている。
【００５６】
従って、ズームレンズの各種収差のうちで、歪曲収差については「電子的に補正する」ことが可能であり、電子的に補正可能な許容範囲内で、歪曲収差を許容できれば、他の収差をより良好に補正することができる。
【発明の効果】
【００５７】
以上に説明したように、この発明によれば、新規なズームレンズと情報装置を実現できる。この発明のズームレンズは、上記のごとき構成により、フォーカシングを行なうフォーカス群（第３レンズ群）が十分コンパクトで、フォーカシングに際しての移動量が小さく、小型に実現でき、高速ＡＦも可能である。
【００５８】
そして、後述する実施例のように、広角端の半画角が３６．８度以上、変倍比が２．８倍から３．３倍程度で、十分に収差補正され、小型で、かつ５００万〜１０００万画素を超える高解像度の撮像素子に対応した解像力を有するズームレンズとして実現できる。
【００５９】
そして、このようなズームレンズを搭載することにより、小型で性能のよい情報装置を実現できる。
【図面の簡単な説明】
【００６０】
【図１】実施例１のズームレンズを説明するための図である。
【図２】実施例１のズームレンズの広角端における収差図である。
【図３】実施例１のズームレンズの中間焦点距離における収差図である。
【図４】実施例１のズームレンズの望遠端における収差図である。
【図５】実施例２のズームレンズを説明するための図である。
【図６】実施例２のズームレンズの広角端における収差図である。
【図７】実施例２のズームレンズの中間焦点距離における収差図である。
【図８】実施例２のズームレンズの望遠端における収差図である。
【図９】実施例３のズームレンズを説明するための図である。
【図１０】実施例３のズームレンズの広角端における収差図である。
【図１１】実施例３のズームレンズの中間焦点距離における収差図である。
【図１２】実施例３のズームレンズの望遠端における収差図である。
【図１３】実施例４のズームレンズを説明するための図である。
【図１４】実施例４のズームレンズの広角端における収差図である。
【図１５】実施例４のズームレンズの中間焦点距離における収差図である。
【図１６】実施例４のズームレンズの望遠端における収差図である。
【図１７】実施例５のズームレンズを説明するための図である。
【図１８】実施例５のズームレンズの広角端における収差図である。
【図１９】実施例５のズームレンズの中間焦点距離における収差図である。
【図２０】実施例５のズームレンズの望遠端における収差図である。
【図２１】実施例６のズームレンズを説明するための図である。
【図２２】実施例６のズームレンズの広角端における収差図である。
【図２３】実施例６のズームレンズの中間焦点距離における収差図である。
【図２４】実施例６のズームレンズの望遠端における収差図である。
【図２５】実施例７のズームレンズを説明するための図である。
【図２６】実施例７のズームレンズの広角端における収差図である。
【図２７】実施例７のズームレンズの中間焦点距離における収差図である。
【図２８】実施例７のズームレンズの望遠端における収差図である。
【図２９】実施例８のズームレンズを説明するための図である。
【図３０】実施例８のズームレンズの広角端における収差図である。
【図３１】実施例８のズームレンズの中間焦点距離における収差図である。
【図３２】実施例８のズームレンズの望遠端における収差図である。
【図３３】実施例９のズームレンズを説明するための図である。
【図３４】実施例９のズームレンズの広角端における収差図である。
【図３５】実施例９のズームレンズの中間焦点距離における収差図である。
【図３６】実施例９のズームレンズの望遠端における収差図である。
【図３７】携帯情報端末装置の実施の１形態を説明するための図である。
【図３８】図３７の装置のシステム構成を説明するための図である。
【発明を実施するための形態】
【００６１】
以下、実施の形態を説明する。
【００６２】
図１、図５、図９、図１３、図１７、図２１、図２５、図２９、図３３に順次、ズームレンズの実施の形態例を９例示す。これらの実施の形態は、上記順序で、後述する実施例１〜９に対応する。
【００６３】
繁雑を避けるため、上記各図において、符号を共通化する。
【００６４】
即ち、図１、図５、図９、図１３、図１７、図２１、図２５、図２９、図３３において、図の左方を物体側とし、右方を像面側とする。
【００６５】
ズームレンズは、光軸に沿って物体側より順に、正の屈折力の第１レンズ群Ｉ、負の屈折力の第２レンズ群ＩＩ、負の屈折力の第３レンズ群ＩＩＩ、正の屈折力の第４レンズ群ＩＶ、正の屈折力の第５レンズ群Ｖを配し、第３レンズ群ＩＩＩと第４レンズ群ＩＶとの間に開口絞りＳを配してなる。
【００６６】
また、上記各図において、上段の図は「広角端」におけるレンズ配置を示し、中段の図は「中間焦点距離」におけるレンズ配置を示し、下段の図は「望遠端」におけるレンズ配置を示す。そして、「矢印」は、広角端から望遠端への変倍に伴う各レンズ群の移動の様子を示している。
【００６７】
上記各図から明らかなように、この発明のズームレンズは、広角端から望遠端への変倍に際し、全レンズ群が移動する。  
即ち、第１レンズ群Ｉと第２レンズ群ＩＩの間隔が増大し、第２レンズ群ＩＩと第３レンズ群ＩＩＩとの間隔が増大し、第３レンズ群ＩＩＩと第４レンズ群ＩＶとの間隔が減少し、第４レンズ群ＩＶと第５レンズ群Ｖの間隔が減少する。開口絞りＳは、変倍に際して第４レンズ群と一体に移動する。
【００６８】
第３レンズ群ＩＩＩは「１枚の負レンズ」で構成され、この負レンズは「物体側に凹面を向けた負メニスカスレンズ」である。そして、この第３レンズ群ＩＩＩの光軸方向への移動によりフォーカシングが行われる。
【００６９】
上記各図において、図の右側に描かれた符号Ｆは、２枚の透明平行平板である。
【００７０】
デジタルスチルカメラ等「ＣＣＤやＣＭＯＳのような固体撮像素子を用いるタイプのカメラ装置」では、固体撮像素子の受光面に近接して、ローパスフィルタや赤外カットガラス等が設けられ、また、固体撮像素子の受光面は「カバーガラス」で保護されている。
【００７１】
上記「透明平行平板」は、ローパスフィルタ等の各種フィルタや、カバーガラスを「これらに光学的に等価な２枚の透明平行平板」により仮想的に置き換えたものである。
【００７２】
上記各図に実施の形態を示すズームレンズの、各レンズ群の構成は以下の通りである。  
第１レンズ群Ｉは、物体側から順に、物体側に凸面を向けた負メニスカスレンズと物体側に凸面を向けた正メニスカスレンズとの接合レンズとからなる。
【００７３】
第２レンズ群ＩＩは、物体側から順に、物体側に凸面を向けた負メニスカスレンズと、両凹レンズと、両凸レンズとからなる。  
第３レンズ群ＩＩＩは、物体側に強い凹面を向けた負メニスカスレンズ１枚からなる。
【００７４】
第４レンズ群ＩＶは、物体側から順に、両凸レンズと、両凸レンズと両凹レンズの接合レンズとからなる。
【００７５】
第５レンズ群Ｖは、物体側から順に、両凸レンズと、物体側に凸面を向けた負メニスカスレンズとからなる。
【００７６】
図３７、３８を参照して、携帯情報端末装置の実施の１形態を説明する。  
図３７はカメラ装置（携帯情報端末装置のカメラ機能部）の外観を示し、図３８は携帯情報端末装置のシステム構成を示している。  
図３８に示すように、携帯情報端末装置３０は、撮影レンズ３１と受光素子（５００万画素〜１０００万画素が２次元に配列された固体撮像素子）４５を有し、撮影レンズ３１によって形成される「撮影対象物の像」を受光素子４５によって読み取るように構成されている。
【００７７】
撮影レンズ３１としては請求項１〜５の任意の１に記載の「ズームレンズ」、より具体的には後述の実施例１〜９のズームレンズが用いられる。ズーミングはズーミング調整部３４による調整で行なう。このとき、ファインダ３３も連動してズーミングする。
【００７８】
受光素子４５からの出力は中央演算装置４０の制御を受ける信号処理装置４２によって処理され、デジタル情報に変換され、デジタル化された画像情報は、中央演算装置４０の制御を受ける画像処理装置４１において所定の画像処理を受けた後、半導体メモリ４４に記録される。
【００７９】
液晶モニタ３８には、画像処理装置４１において画像処理された撮影中の画像やそのズーミング状態を表示することもできるし、半導体メモリ４４に記録されている画像を表示することもできる。また、半導体メモリ４４に記録した画像は通信カード等４３を使用して外部へ送信することができる。
【００８０】
画像処理装置４１は「シェーディングの電気的な補正」や「画像中心部のトリミング」等を行なう機能も有する。
【００８１】
図３７に示すように、撮影レンズ３１は携帯時には、図３７（ａ）に示すように沈胴状態にあり、ユーザが電源スイッチ３６を操作して電源を入れると、（ｂ）に示すように鏡胴が繰り出される。
【００８２】
このとき、鏡胴の内部でズームレンズの各群は「物体距離が無限遠の配置」となっており、シャッタボタン３５の半押しにより「有限物体距離へのフォーカシング」が行なわれる。フォーカシング動作は前述したように「第３レンズ群を移動」させて行なわれる。
【００８３】
半導体メモリ４４に記録した画像を液晶モニタ３８に表示したり、通信カード等を使用して外部へ送信したりする際は、図３７（ｃ）に示す操作ボタン３７を使用して行う。半導体メモリおよび通信カード等は、それぞれ専用または汎用のスロット３９Ａ、３９Ｂに挿入して使用される。
【００８４】
撮影レンズ３１が沈胴状態にあるとき、各レンズ群は、必ずしも光軸上に並んでいなくても良く、例えば、第１レンズ群や第２レンズ群が光軸上から退避して「他のレンズ群と並列に収納されるような機構」とすれば、携帯情報端末装置のさらなる薄型化を実現できる。
【００８５】
以上に説明したような「カメラ装置を撮影機部として有する携帯情報端末装置」には、実施例１〜９の結像レンズを撮影レンズ３１として使用することができ、５００〜１０００万画素の受光素子４５を使用した高画質で小型のカメラ機能を持つ携帯情報端末装置を実現できる。
【実施例】
【００８６】
以下、具体的な実施例を９例挙げる。
【００８７】
実施例における記号の意味は以下の通りである。
ｆ：全系の焦点距離  
Ｆ：Fナンバ  
ω：半画角(deg)  
面番号：物体側から数えた面（絞り、フィルタ、撮像素子の受光面を含む。）の番号
Ｒ：曲率半径(非球面にあっては近軸曲率半径)
Ｄ：面間隔
Ｎｄ：屈折率
νｄ：アッベ数
Ｋ：非球面の円錐定数
Ａ４：４次の非球面定数
Ａ６：６次の非球面定数
Ａ８：８次の非球面定数
Ａ１０：１０次の非球面定数
Ａ１２：１２次の非球面定数                                    。
【００８８】
非球面形状は、近軸曲率半径の逆数(近軸曲率)：Ｃ、光軸からの高さ：Ｈ、円錐定数：Ｋ、上記各次数の非球面係数を用い、Ｘを光軸方向における非球面量として、周知の式
Ｘ＝ＣＨ２／[１＋√{１−(１＋Ｋ)Ｃ２Ｈ２}]
＋Ａ４・Ｈ４＋Ａ６・Ｈ６＋Ａ８・Ｈ８＋Ａ１０・Ｈ１０＋Ａ１２・Ｈ１２＋・・
で表されるものであり、近軸曲率半径と円錐定数、非球面係数を与えて形状を特定する。
【００８９】
「実施例１」
実施例１は、図１に示したズームレンズである。  
ｆ=16.146〜53.852  Ｆ＝3.59〜5.93  ω＝41.53〜14.87  
面番号    Ｒ         Ｄ       Nd      νd  
1     35.22784   1.30000  1.84666  23.7800
2     25.43981   5.58108  1.69680  55.5300
3    161.95730   可変A                  
4     66.68463   0.97007  2.00100  29.1300
5     10.93000   6.31830                  
6    -29.18377   0.80000  1.69350  53.1800
7     26.19043   0.09955                  
8     25.80601   4.24896  1.84666  23.7800
9    -27.63060   可変B                  
10    -20.24167   0.80000  1.60300  65.4400（S-PHM53）
11    -50.23484   可変C                  
12     ∞（絞り） 1.45001                  
13     15.31467   3.43574  1.51633  64.0600
14    -38.17926   0.10000                  
15     21.44923   3.93180  1.53172  48.8400
16    -17.87906   1.45000  1.83400  37.1600
17     19.58694   可変D                  
18     19.29863   4.94809  1.58913  61.1500
19    -19.58674   0.23493                  
20     48.01352   0.80173  1.90366  31.3200
21     16.49362   可変E                  
22      ∞        0.70000  1.53770  66.6000
23      ∞        1.50000                  
24      ∞        0.70000  1.50000  64.0000
25      ∞                                                     。
【００９０】
「非球面データ」
非球面のデータを以下にあげる。
第6面
K=0
A4= -1.12571E-05
A6=  1.21899E-07
A8=  2.76874E-09
A10= -4.5160E-11
A12= 1.38009E-13
第7面
K=0
A4= -4.98762E-05
A6=  3.02710E-07
A8= -1.83352E-09
A10=-4.9553E-12
第13面
K=0
A4= -2.23034E-05
A6= -3.30061E-08
A8=  1.96596E-09
A10=-4.33079E-11
第14面
K=0
A4= -6.86789E-06
A6=  1.59127E-07
A8= -8.05125E-10
A10=-2.46291E-11
第18面
K=  -4.76959
A4= -2.06414E-06
A6= -1.71695E-07
A8= -2.33143E-09
A10= 6.08643E-12
第19面
K=   0.25043
A4=  3.72591E-05
A6= -4.11291E-08
A8= -2.02648E-09
A10= 3.86766E-12
上記非球面データの表示で、例えば「3.86766E-12」は「3.86766×10-12」を表す。以下の実施例においても同様である。
【００９１】
第３レンズ群のレンズの硝材は、オハラ(株）製の「S-PHM53」を想定している。
【００９２】
S-PHM53のνd及びθg,Fは、公開されているカタログより下記の通りである。
【００９３】
νd=65.44    
θg,F=0.5401
「可変量」
可変量のデータを表１に示す。
【００９４】
【表１】
0005768576.tif 000002
【００９５】
図２〜図４に順次、実施例１の広角端、中間焦点距離、望遠端における収差図を示す。球面収差の図中の破線は「正弦条件」、非点収差の図中の実線は「サジタル」、破線は「メリディオナル」をそれぞれ表す。「ｇ」、「ｄ」はそれぞれ、ｇ線およびｄ線を表す。他の実施例に関する収差図についても同様である。
【００９６】
「実施例２」
実施例２は、図５に示したズームレンズである。
【００９７】
ｆ＝16.146〜53.851  Ｆ＝3.6〜5.77  ω＝41.53〜14.87
面番号    Ｒ          Ｄ      Nd     νd  
1    43.11718    1.29999  1.84666  23.78  
2    31.73933    5.57706  1.69680  55.53  
3   190.09719    可変A                  
4    55.24695    0.97008  2.00100  29.13  
5    10.53158    7.00758   
6   -37.69153    0.80000  1.69350  53.18  
7    39.79764    0.12000     
8    35.75261    4.22772  1.84666  23.78  
9   -27.02142    可変B                    
10   -22.16816    0.80000  1.60300  65.44（S-PHM53） 
11   -68.86241    可変C                     
12    ∞（絞り）  1.45020    
13    17.70983    4.99510  1.51633  64.06 
14   -25.76032    0.10000    
15    24.82196    3.73181  1.53172  48.84 
16   -18.83887    1.44999  1.83400  37.16 
17    19.93203    可変D                     
18    18.95445    5.30000  1.58913  61.15 
19   -22.79198    0.10000    
20    46.10650    0.80000  1.90366  31.32 
21    16.80062    可変E   
22     ∞         0.70000  1.53770  66.60 
23     ∞         1.50000   
24     ∞         0.70000  1.50000  64.00 
25     ∞                                                        。
【００９８】
「非球面データ」
非球面のデータを以下に示す。
第6面
K=0
A4= -6.13912E-05
A6=  6.02764E-07
A8= -3.68927E-09
A10=-5.86282E-12
第7面
K=0
A4= -9.55771E-05
A6=  6.67024E-07
A8= -5.78157E-09
A10= 3.44512E-12
第13面
K=0
A4= -2.21195E-05
A6= -1.07672E-06
A8=  1.98544E-08
A10=-3.47093E-10
第14面
K=0
A4=  5.12674E-06
A6= -9.94310E-07
A8=  1.53589E-08
A10=-2.78900E-10
第18面
K=  -1.2879
A4= -1.57778E-05
A6= -7.80973E-08
A8= -8.69905E-10
A10= 3.89552E-12
第19面
K=  0.98584
A4= 4.43195E-05
A6= 5.66872E-08
A8= -2.64609E-09
A10= 1.33387E-11
第３レンズ群のレンズの硝材は、オハラ(株）製の「S-PHM53」を想定している。
【００９９】
S-PHM53のνd及びθg,Fは、公開されているカタログより下記の通りである。
【０１００】
νd=65.44  
θg,F=0.5401                                          。
【０１０１】
「可変量」
可変量のデータを表２に示す。
【０１０２】
【表２】
0005768576.tif 000003
【０１０３】
図６〜図８に順次、実施例２の広角端、中間焦点距離、望遠端における収差図を示す。
【０１０４】
「実施例３」
実施例３は、図９に示したズームレンズである。
【０１０５】
ｆ＝16.146〜53.85  Ｆ＝3.62〜5.67  ω＝41.53〜14.87
面番号    Ｒ        Ｄ       Nd     νd  
1    44.83622   1.30000  1.84666  23.78  
2    30.32788   5.80250  1.77250  49.60  
3   152.20233   可変A    
4    55.56877   0.97009  2.00100  29.13 
5    10.85110   6.67902     
6   -40.92454   0.80000     
7    36.32245   0.65885     
8    30.89732   4.44422  1.84666  23.78  
9   -26.99833   可変B     
10   -24.45877   0.80000  1.64850  53.02（S-BSM71） 
11  -103.58339   可変C    
12    ∞(絞り)   1.45008   
13    16.52481   5.35383  1.51633  64.06 
14   -25.99633   0.10000   
15    23.78029   3.61747  1.51742  52.43  
16   -22.01894   1.45000  1.83400  37.16 
17    17.55937   可変D    
18    19.88520   5.30000  1.58913  61.15 
19   -22.74438   0.10000    
20    53.58387   0.80000  1.90366  31.32 
21    18.67841   可変E    
22     ∞        0.70000  1.53770  66.60 
23     ∞        1.50000   
24     ∞        0.70000  1.50000  64.00 
25     ∞                                                           。
【０１０６】
「非球面データ」
非球面データを以下に示す。
第6面
K=0
A4= -8.18151E-06
A6= -2.01833E-07
A8=  2.53333E-09
A10=-1.29107E-11
第7面
K=0
A4= -3.23283E-05
A6= -1.88341E-07
A8=  1.96755E-09
A10=-1.43273E-11
第13面
K=0
A4= -3.22004E-05
A6= -9.60992E-07
A8=  1.55589E-08
A10=-2.82657E-10
第14面
K=0
A4=  3.53815E-06
A6= -8.66214E-07
A8=  1.17377E-08
A10=-2.24402E-10
第18面
K=-1.27337
A4= -1.58768E-05
A6= -1.86624E-07
A8=  6.94712E-10
A10=-5.97184E-12
第19面
K=0
A4= 3.31640E-05
A6=-1.06067E-07
A8=-6.29723E-10
A10=0
第３レンズ群のレンズの硝材は、オハラ(株）製の「S-BSM71」を想定している。
【０１０７】
S-BSM71のνd及びθg,Fは、公開されているカタログより下記の通りである。
【０１０８】
νd=53.02    
θg,F=0.5547                                                  。
【０１０９】
「可変量」
可変量のデータを表３に示す。
【０１１０】
【表３】
0005768576.tif 000004
【０１１１】
図１０〜図１２に順次、実施例３の広角端、中間焦点距離、望遠端における収差図を示す。
【０１１２】
「実施例４」
実施例４は、図１３に示したズームレンズである。
【０１１３】
ｆ＝16.146〜53.852  Ｆ＝3.68〜5.55  ω＝41.53〜14.87  
面番号     Ｒ         Ｄ         Nd    νd  
1     34.95704    1.30001   1.84666  23.78 
2     23.60593    5.86984   1.741    52.64 
3    151.1807     可変A    
4    299.95707    0.97009   2.001    29.13 
5     11.13285    4.29663  
6    -70.40818    0.8       1.8086   40.42 
7     36.93918    0.99318   
8     25.74916    3.66798   1.84666  23.78 
9    -25.74916    可変B    
10    -18.53351    0.8       1.58913  61.14  
11   -393.50471    可変C  
12     ∞          1.44993   
13     15.66887    4.15645   1.48749  70.23 
14    -27.94159    0.1     
15     13.07805    3.77258   1.53172  48.84 
16    -26.8818     2.00933   1.834    37.16 
17     12.0058     可変D   
18     24.19269    5.29997   1.58913  61.15 
19    -13.20634    0.37853       
20    -19.02546    0.79998   1.90366  31.32 
21   -138.0287     可変E  
22     ∞          0.7       1.5168   64.2  
23     ∞          1.5      
24     ∞          0.7       1.5168   64.2                        。
【０１１４】
「非球面データ」
非球面データを以下に示す。
第6面
K=  0.0
A4=-3.843970E-05 
A6= 1.211950E-07 
A8=-5.466700E-09 
A10=3.589930E-11 
A12=5.576910E-13 
第7面
K=  0.0
A4=-6.229330E-05
A6= 1.289240E-07
A8=-9.269550E-09
A10= 1.049680E-10
第13面 
K= 0.0
A4= 4.838910E-06
A6=-2.840070E-07
A8= 8.697220E-09
A10=-1.836370E-11
第14面
K= 0.0
A4= 4.698360E-05
A6=-1.627670E-07
A8= 5.742440E-09
A10=2.564070E-11
第18面
K= -1.373112
A4= 1.668360E-05
A6= 1.266830E-07
A8=-5.146740E-09
A10=1.518190E-10
第19面
K= -2.895300E-02
A4= 7.250660E-05
A6= 6.967700E-07
A8=-1.676340E-08
A10=2.591100E-10
第３レンズ群のレンズの硝材は、オハラ(株)製の「S-BAL35」を想定している。
【０１１５】
S-PHM53のνd及びθg,Fは、公開されているカタログより下記の通りである。
【０１１６】
νd=61.14  
θg,F=0.5407                                    。
【０１１７】
「可変量」
可変量のデータを表４に示す。
【０１１８】
【表４】
0005768576.tif 000005
【０１１９】
図１４〜図１６に順次、実施例４の広角端、中間焦点距離、望遠端における収差図を示す。この実施例４においては、広角端における最大像高：Ｙ’が１２．２５であり、歪曲収差が大きく発生しているが、広角端における歪曲収差は、撮像素子から得られる画像の電子データを、周知の「歪曲収差補正」のアルゴリズムにより補正し、最大像高が１４．３ｍｍとなるようにできる。
【０１２０】
「実施例５」
実施例５は、図１７に示したズームレンズである。
【０１２１】
f=16.146〜53.84  F=3.63〜5.74  ω=41.5〜14.87  
面番号      Ｒ        Ｄ       Nd     νd  
1     46.03179    1.30005   1.84666  23.78  
2     31.22940    5.51888   1.77250  49.60  
3    152.04501    可変A  
4     51.07120    0.97002   2.00100  29.13  
5     10.77721    6.63709     
6    -42.16678    0.79999   1.77030  47.40  
7     38.75553    0.96368     
8     30.38725    4.33203   1.84666  23.78  
9    -29.02408    可変B  
10    -21.91807    0.80000   1.64850  53.02（S-BSM71）  
11    -79.56447    可変C 
12     ∞（絞り）  1.44994    
13     18.62497    4.02774   1.51633  64.06 
14    -25.81393    0.09995   
15     20.81187    4.01271   1.51742  52.43 
16    -19.74213    1.44999   1.83400  37.16 
17     19.22015    可変D 
18     20.95766    5.30002   1.58913  61.15 
19    -22.01066    0.10001    
20     42.36060    0.79999   1.90366  31.32 
21     16.44550    可変E   
22      ∞         0.70000   1.53770  66.60 
23      ∞         1.50000   
24      ∞         0.70000   1.50000  64.00 
25      ∞                                     。
【０１２２】
「非球面データ」
非球面のデータを以下に示す。
第6面
K= 0
A4=  5.52979E-05
A6= -1.46723E-06
A8=  1.40955E-08
A10=-5.75258E-11
第7面
K= 0
A4=  3.02092E-05
A6= -1.53901E-06
A8=  1.44769E-08
A10=-6.26901E-11
第13面
K= 0
A4= -8.40542E-06
A6= -4.37152E-07
A8=  1.03740E-08
A10=-2.45238E-10
第14面
K= 0
A4=  2.47361E-05
A6= -6.21729E-07
A8=  1.37690E-08
A10=-2.72842E-10
第18面
K=  -0.92674
A4= -1.83059E-05
A6= -3.30349E-08
A8= -2.28321E-09
A10=-6.15846E-13
第19面
K= 0
A4=  3.19375E-05
A6=  3.31577E-08
A8= -2.88956E-09
A10= 0
第３レンズ群のレンズの硝材は、オハラ(株）製の「S-BSM71」を想定している。
【０１２３】
S-BSM71のνd及びθg,Fは、公開されているカタログより下記の通りである。
【０１２４】
νd=53.02    
θg,F=0.5547                                              。
【０１２５】
「可変量」
可変量のデータを表５に示す。
【０１２６】
【表５】
0005768576.tif 000006
【０１２７】
図１８〜図２０に順次、実施例５の広角端、中間焦点距離、望遠端における収差図を示す。
【０１２８】
「実施例６」
実施例６は、図２１に示したズームレンズである。
【０１２９】
ｆ＝16.15〜53.852  Ｆ＝3.62〜5.77  ω＝41.53〜14.87
面番号     Ｒ         Ｄ        Nd     νd  
1     52.97005    1.31000   1.84666  23.78  
2     35.71101    5.48584   1.77250  49.60  
3    189.65170    可変A  
4     57.34337    0.95497   2.00100  29.13  
5     11.09490    6.36289     
6    -52.53144    0.80001   1.77030  47.40  
7     36.40322    1.16039     
8     30.42534    4.23829   1.84666  23.78  
9    -30.42507    可変B  
10    -22.85191    0.80000   1.64850  53.02（S-BSM71）  
11    -92.38759    可変C  
12     ∞（絞り）  1.40001     
13     19.49107    3.32058   1.51633  64.06  
14    -25.78639    0.11538     
15     18.99577    4.01733   1.51742  52.43  
16    -18.99577    1.40000   1.83400  37.16   
17     18.99577    可変D
18     19.38104    5.59999   1.58913  61.15 
19    -23.21203    0.10000    
20     34.69037    0.80000   1.90366  31.32 
21     14.67162    可変E                        
22      ∞         0.70000   1.53770  66.60 
23      ∞         1.50000   
24      ∞         0.70000   1.50000  64.00 
25      ∞                                                        。
【０１３０】
「非球面データ」
非球面のデータをいかに示す。
第6面
K= 0
A4=  2.63554E-05
A6= -1.09237E-06
A8=  9.8447E-09
A10=-3.41409E-11
第7面
K= 0
A4=  2.93738E-06
A6= -1.13624E-06
A8=  1.01043E-08
A10=-3.88306E-11
第13面 
K= 0
A4=  3.21402E-07
A6= -1.03872E-07
A8=  6.34622E-09
A10=-1.99948E-10
第14面
K=0
A4=  2.47699E-05
A6= -2.4115E-07
A8=  9.50458E-09
A10=-2.36136E-10
第18面  
K=  -0.57855
A4= -1.83484E-05
A6= -2.90044E-08
A8= -1.90061E-09
A10=-5.50054E-12
第19面  
K=  -0.09961
A4=  3.54974E-05
A6=  3.43435E-08
A8= -3.14805E-09
第３レンズ群のレンズの硝材は、オハラ(株）製の「S-BSM71」を想定している。
【０１３１】
S-BSM71のνd及びθg,Fは、公開されているカタログより下記の通りである。
【０１３２】
νd=53.02    
θg,F=0.5547                                        。
【０１３３】
「可変量」
可変量のデータを表６に示す。
【０１３４】
【表６】
0005768576.tif 000007
【０１３５】
図２２〜図２４に順次、実施例６の広角端、中間焦点距離、望遠端における収差図を示す。
【０１３６】
「実施例７」
実施例７は、図２５に示したズームレンズである。
【０１３７】
f=16.146〜53.852  F＝3.61〜5.76  ω＝41.53〜14.87  
面番号    Ｒ         Ｄ       Nd     νd  
1     53.02258   1.31000  1.84666  23.78  
2     35.94362   5.46329  1.77250  49.60  
3    188.67998   可変A  
4     54.87412   0.95512  2.00100  29.13  
5     10.79646   6.44587     
6    -51.91885   0.80000  1.74320  49.29  
7     40.63394   1.06371     
8     31.38598   4.08243  1.84666  23.78  
9    -31.38598   可変B  
10    -23.00149   0.80000  1.65160  58.55（S-LAL7）    
11    -97.40089   可変C 
12     ∞（絞り） 1.39999    
13     19.57334   3.29549  1.51633  64.06 
14    -25.26589   0.10000    
15     19.46405   3.89071  1.51742  52.43 
16    -19.46405   1.40519  1.83400  37.16 
17     19.46405   可変D 
18     19.69818   5.60000  1.58913  61.15 
19    -22.10614   0.10000    
20     38.97349   0.80019  1.90366  31.32 
21     15.14672   任意                          
22      ∞        0.70000  1.53770  66.60 
23      ∞        1.50000   
24      ∞        0.70000  1.50000  64.00 
25      ∞                                            。
「非球面データ」
非球面のデータをいかに示す。  
第6面
K= 0
A4=  3.46877E-05
A6= -1.27443E-06
A8=  1.11921E-08
A10=-4.40045E-11
第7面
K= 0
A4=  6.8617E-06
A6= -1.34447E-06
A8=  1.13537E-08
A10=-4.81564E-11
第13面 
K= 0
A4= -1.2513E-06
A6= -4.84014E-08
A8=  5.40686E-09
A10=-2.0620E-10
第14面  
K= 0
A4=  2.71708E-05
A6= -2.3373E-07
A8=  9.93932E-09
A10=-2.54318E-10
第18面  
K=  -0.65075
A4= -1.90482E-05
A6= -3.34777E-08
A8= -1.71693E-09
A10=-5.56274E-12
第19面  
K=  -0.20854
A4=  3.63343E-05
A6=  2.45318E-08
A8= -2.95008E-09                                            。
【０１３８】
第３レンズ群のレンズの硝材は、オハラ(株）製の「S-LAL7」を想定している。
【０１３９】
S-LAL7のνd及びθg,Fは、公開されているカタログより下記の通りである。
【０１４０】
νd=58.55    
θg,F=0.5425                                                      。
【０１４１】
「可変量」
可変量のデータを表７に示す。
【０１４２】
【表７】
0005768576.tif 000008
【０１４３】
図２６〜図２８に順次、実施例７の広角端、中間焦点距離、望遠端における収差図を示す。
【０１４４】
「実施例８」
実施例８は、図２９に示したズームレンズである。
【０１４５】
ｆ＝16.145〜53.86  Ｆ＝3.64〜5.75  ω＝41.53〜14.87  
面番号     Ｒ        Ｄ        Nd      νd  
1     51.57017   1.35033   1.84666  23.78    
2     35.08789   5.69112   1.7725   49.6    
3    182.91872   可変A    
4     44.57654   0.98972   2.001    29.13  
5     10.55643   6.75921  
6    -44.69477   0.80002   1.7432   49.29  
7     47.5051    1.35366  
8     32.75877   3.82977   1.84666  23.78  
9    -32.75877   可変B   
10    -24.76086   0.8       1.6516   58.55（S-LAL7）   
11   -153.4119    可変C  
12      ∞        1.40078  
13     18.96748   3.75245   1.51633  64.06 
14    -24.25341   0.09999       
15     18.77954   4.04255  1.51742   52.43  
16    -18.77954   1.3999   1.834     37.16  
17     18.77954   可変D           
18     22.71409   5.00033  1.58913   61.15  
19    -20.0266    0.10002   
20     56.47649   0.79994  1.90366   31.32  
21     17.45296   可変E  
22      ∞        0.70000  1.53770   66.60
23      ∞        1.50000  
24      ∞        0.70000  1.50000   64.00
25      ∞                                                 。
【０１４６】
「非球面データ」  
非球面のデータを以下に示す。
0005768576.tif 000009
【０１４７】
第３レンズ群のンズの硝材は、オハラ(株）製の「S-LAL7」を想定している。
【０１４８】
S-LAL7のνd及びθg,Fは、公開されているカタログより下記の通りである。
【０１４９】
νd=58.55    
θg,F=0.5425                                                        。
【０１５０】
「可変量」
可変量のデータを表８に示す。
【０１５１】
【表８】
0005768576.tif 000010
【０１５２】
図３０〜図３２に順次、実施例８の広角端、中間焦点距離、望遠端における収差図を示す。
【０１５３】
「実施例９」
実施例９は、図３３に示したズームレンズである。
【０１５４】
ｆ＝16.19〜45.75  Ｆ＝3.63〜5.86  ω＝41.45〜17.36
面番号      Ｒ       Ｄ         Nd     νd  
1      33.04630   1.30000   1.84666  23.78  
2      24.61909   5.03061   1.69680  55.53  
3     136.08670   可変A  
4      66.82379   0.97000   2.00100  29.13  
5      10.13620   6.58248                          
6     -27.08140   0.80000   1.69350  53.18  
7      42.28382   0.10000     
8      36.12687   4.06747   1.84666  23.78  
9     -23.91703   可変B  
10     -19.22723   0.80000   1.60300  65.44（S-PHM53）
11     -40.79376   可変C 
12      ∞（絞り） 1.45000    
13      15.53437   3.73586   1.51633  64.06 
14     -28.31772   0.10000   
15      26.51545   3.96987   1.53172  48.84 
16     -16.08335   1.45000   1.83400  37.16 
17      21.49926   可変D 
18      18.61811   5.28649   1.58913  61.15 
19     -19.32644   0.10000   
20      50.34422   0.82401   1.90366  31.32 
21      15.67976   可変E    
22       ∞        0.70000   1.53770  66.60 
23       ∞        1.50000  
24       ∞        0.70000   1.50000  64.00  
25       ∞                                                            。
【０１５５】
「非球面データ」
非球面のデータを、以下に示す。
第6面
K= 0
A4= -2.62797E-05
A6=  2.15039E-07
A8=  1.25881E-09
A10=-3.37339E-11
A12=-5.96466E-14
第7面
K= 0
A4= -6.94415E-05
A6=  2.98647E-07
A8= -1.81245E-09
A10=-2.26671E-11
第13面
K= 0
A4= -1.84404E-05
A6= -9.86481E-08
A8=  1.21421E-09
A10=-2.38227E-11
第14面
K= 0
A4=  9.50545E-06
A6=  8.22895E-08
A8= -9.41319E-10
A10=-1.57178E-11
A12=0
第18面
K=  -4.00213
A4=  5.35275E-06
A6= -6.14576E-08
A8= -3.35757E-09
A10= 3.63892E-11
第19面
K=  -0.0203
A4=  4.11207E-05
A6=  6.45731E-08
A8= -4.12993E-09
A10= 4.1149E-11
第３レンズ群の硝材は、オハラ(株）製の「S-PHM53」を想定している。
【０１５６】
S-PHM53のνd及びθg,Fは、公開されているカタログより下記の通りである。
【０１５７】
νd=65.44    
θg,F=0.5401＜-1.2×10-3・65.44+0.62＝0.5415                。
【０１５８】
「可変量」
可変量のデータを表９に示す。
【０１５９】
【表９】
0005768576.tif 000011
【０１６０】
図３４〜図３６に順次、実施例９の広角端、中間焦点距離、望遠端における収差図を示す。
【０１６１】
上記実施例１〜９の各々における、条件（１）〜（９）のパラメータの値を、表１０に示す。なお、表１０において条件（２）とあるのは条件（２Ａ）である。
【０１６２】
【表１０】
0005768576.tif 000012
【０１６３】
表１０に示すように、実施例１〜９のズームレンズとも、条件（１）〜（８）を満足している。また、各収差図から明らかなように、実施例１〜９のズームレンズは、何れも、
広角端の半画角が４１度以上、変倍比が２．８倍から３．３倍程度で、十分に収差補正され、小型で、かつ５００万〜１０００万画素を超える高解像度の撮像素子に対応した解像力を有する
【符号の説明】
【０１６４】
Ｉ      第１レンズ群  
ＩＩ    第２レンズ群  
ＩＩＩ  第３レンズ群  
ＩＶ    第４レンズ群  
Ｖ      第５レンズ群  
Ｓ      開口絞り  
【先行技術文献】
【特許文献】
【０１６５】
【特許文献１】特開平３−２２８００８号公報
【特許文献２】特許第３７１６４１８号公報
【特許文献３】特許第３３９７６８６号公報
【特許文献４】特許第４４０１４５１号公報
【特許文献５】特開２０１０−１７５９５４号公報
【図１】
0005768576.tif 000013
【図２】
0005768576.tif 000014
【図３】
0005768576.tif 000015
【図４】
0005768576.tif 000016
【図５】
0005768576.tif 000017
【図６】
0005768576.tif 000018
【図７】
0005768576.tif 000019
【図８】
0005768576.tif 000020
【図９】
0005768576.tif 000021
【図１０】
0005768576.tif 000022
【図１１】
0005768576.tif 000023
【図１２】
0005768576.tif 000024
【図１３】
0005768576.tif 000025
【図１４】
0005768576.tif 000026
【図１５】
0005768576.tif 000027
【図１６】
0005768576.tif 000028
【図１７】
0005768576.tif 000029
【図１８】
0005768576.tif 000030
【図１９】
0005768576.tif 000031
【図２０】
0005768576.tif 000032
【図２１】
0005768576.tif 000033
【図２２】
0005768576.tif 000034
【図２３】
0005768576.tif 000035
【図２４】
0005768576.tif 000036
【図２５】
0005768576.tif 000037
【図２６】
0005768576.tif 000038
【図２７】
0005768576.tif 000039
【図２８】
0005768576.tif 000040
【図２９】
0005768576.tif 000041
【図３０】
0005768576.tif 000042
【図３１】
0005768576.tif 000043
【図３２】
0005768576.tif 000044
【図３３】
0005768576.tif 000045
【図３４】
0005768576.tif 000046
【図３５】
0005768576.tif 000047
【図３６】
0005768576.tif 000048
【図３７】
0005768576.tif 000049
【図３８】
0005768576.tif 000050